(57)【要約】【課題】より効果的なコミュニケーションを促進するコミュニケーションツール及び表示方法を提供する。【解決手段】実施形態によれば、第１表示部と、第２表示部と、撮像部と、前記撮像部を操作するための入力部と、制御部と、を含むコミュニケーションツールが提供される。前記第１表示部は、第１面に設けられる。前記第２表示部は、前記第１面とは反対側の第２面に設けられる。前記撮像部は、前記第１面に設けられる。前記制御部は、前記第１表示部と前記第２表示部とにコンテンツを表示させ、前記撮像部で撮像された像の少なくとも一部を第２表示部に表示させる。【選択図】図１
2014187552.tif 000002
【特許請求の範囲】
【請求項１】
第１面に設けられた第１表示部と、
前記第１面とは反対側の第２面に設けられた第２表示部と、
前記第１面に設けられた撮像部と、
前記撮像部を操作するための入力部と、
前記第１表示部と前記第２表示部とにコンテンツを表示させ、前記撮像部で撮像された像の少なくとも一部を第２表示部に表示させる制御部と、
を備えたコミュニケーションツール。
【請求項２】
前記入力部は、前記第２面の側に設けられる請求項１記載のコミュニケーションツール。
【請求項３】
前記入力部の少なくとも一部は、前記第２表示部の少なくとも一部と一体的である請求項１記載のコミュニケーションツール。
【請求項４】
前記制御部は、前記第１表示部に表示された前記コンテンツに関連して設けられた文字情報を前記第２表示部に表示させる請求項１〜３のいずれか１つに記載のコミュニケーションツール。
【請求項５】
前記制御部は、前記第１表示部に表示させる前記コンテンツと、前記第２表示部に表示させるコンテンツと、を連動させる請求項１〜４のいずれか１つに記載のコミュニケーションツール。
【請求項６】
前記第１面側に設けられた第１面側入力部をさらに備え、
前記制御部は、前記第１面側入力部が受けた入力に応じて、前記第１表示部に表示させる前記コンテンツを変更する請求項１〜５のいずれか１つに記載のコミュニケーションツール。
【請求項７】
前記制御部は、前記撮像部で撮像された前記第１表示部を観視する対象の像に基づいて推定された前記対象の状態を、前記第１表示部及び前記第２表示部の少なくともいずれかに表示させる請求項１〜６のいずれか１つに記載のコミュニケーションツール。
【請求項８】
前記推定された前記対象の状態を、前記推定された前記対象の状態が得られたときに前記第１表示部に表示された前記コンテンツと関連づけて記憶する記憶部をさらに備えた請求項７記載のコミュニケーションツール。
【請求項９】
第１面に設けられた第１表示部と、前記第１面に設けられた撮像部と、前記第１面とは反対側の第２面に設けられた第２表示部と、を含むコミュニケーションツールの前記撮像部を操作して前記撮像部で像を撮像し、前記撮像部で撮像した前記像の少なくとも一部を前記第２表示部に表示させる表示方法。
【請求項１０】
前記撮像部の操作は、前記第２面の側から行われる請求項９記載の表示方法。
【請求項１１】
前記第２表示部は入力機能を有し、前記操作部の操作は、前記第２表示部の入力機能を用いて行われる請求項９記載の表示方法。
【請求項１２】
前記第１表示部に表示された前記コンテンツに関連して設けられた文字情報を前記第２表示部に表示させる請求項９〜１１のいずれか１つに記載の表示方法。
【請求項１３】
前記第１表示部に表示させる前記コンテンツと、前記第２表示部に表示させるコンテンツと、を連動させる請求項９〜１２のいずれか１つに記載の表示方法。
【発明の詳細な説明】
【技術分野】
【０００１】
本発明の実施形態は、コミュニケーションツール及び表示方法に関する。
【背景技術】
【０００２】
例えば、親子が一緒に絵本などを楽しむ。楽しみながら、親子のコミュニケーションをより有効にするための新しいツールが望まれる。
【先行技術文献】
【特許文献】
【０００３】
【特許文献１】特開平７−４４１０９号公報
【発明の概要】
【発明が解決しようとする課題】
【０００４】
本発明の実施形態は、より効果的なコミュニケーションを促進するコミュニケーションツール及び表示方法を提供する。
【課題を解決するための手段】
【０００５】
本発明の実施形態によれば、第１表示部と、第２表示部と、撮像部と、前記撮像部を操作するための入力部と、制御部と、を含むコミュニケーションツールが提供される。前記第１表示部は、第１面に設けられる。前記第２表示部は、前記第１面とは反対側の第２面に設けられる。前記撮像部は、前記第１面に設けられる。前記制御部は、前記第１表示部と前記第２表示部とにコンテンツを表示させ、前記撮像部で撮像された像の少なくとも一部を第２表示部に表示させる。
【図面の簡単な説明】
【０００６】
【図１】図１は、実施形態に係るコミュニケーションツールを例示する模式的斜視図である。
【図２】図２（ａ）及び図２（ｂ）は、実施形態に係るコミュニケーションツールを例示する模式的平面図である。
【図３】図３は、実施形態に係るコミュニケーションツールを例示するブロック図である。
【図４】図４（ａ）〜図４（ｃ）は、実施形態に係るコミュニケーションツールの使用状態を例示する模式図である。
【発明を実施するための形態】
【０００７】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（実施形態）
図１は、実施形態に係るコミュニケーションツールを例示する模式的斜視図である。  
図２（ａ）及び図２（ｂ）は、実施形態に係るコミュニケーションツールを例示する模式的平面図である。  
図１、図２（ａ）及び図２（ｂ）に表したように、実施形態に係るコミュニケーションツール１１０は、ボード状、または、シート状である。コミュニケーションツール１１０は、第１面１０ａと、第２面２０ａと、を有する。
【０００９】
第１面１０ａには、第１表示部１０が設けられる。第２面２０ａには、第２表示部２０が設けられる。
【００１０】
例えば、コミュニケーションツール１１０には、筐体５が設けられ、筐体５の第１面１０ａの側に第１表示部１０が設けられる。筐体５の第２面２０ａの側に第２表示部２０が設けられる。
【００１１】
コミュニケーションツール１１０には、制御部５０が設けられる。制御部５０は、例えば、筐体５に格納される。
【００１２】
図２（ａ）は、コミュニケーションツール１１０の第１面１０ａの平面図である。第２（ｂ）は、コミュニケーションツール１１０の第２面２０ａの平面図である。
【００１３】
図２（ａ）に表したように、第１面１０ａには、第１表示部１０が設けられる。この例では、第１面１０ａには、撮像部３１と、マイクロフォン４１と、スピーカ４６と、がさらに設けられている。
【００１４】
図２（ｂ）に表したように、第１面１０ａと反対側の第２面２０ａには、第２表示部２０が設けられる。第２表示部２０は、表示機能を有する。第２表示部２０は、入力機能をさらに有しても良い。
【００１５】
コミュニケーションツール１１０には、入力部６１がさらに設けられる。この例では、入力部６１の少なくとも一部として、入力装置６１ａが設けられている。この例では、入力装置６１ａは、第２面２０ａに設けられている。入力装置６１ａが設けられる位置は、任意である。例えば、入力装置６１ａは、筐体５の側面（例えば、第１面１０ａに対して交差する面）に設けられても良い。
【００１６】
第２表示部２０が入力機能を有する場合、第２表示部２０の入力機能が、入力部６１に含まれる。
【００１７】
入力部６１（例えば、入力装置６１ａ、及び、第２表示部２０の入力機能の少なくともいずれか）では、例えば、コミュニケーションツール１１０の動作に関する入力を行う。入力装置６１ａにより、第２表示部２０の入力機能による入力の補助的な入力を行ってもよい。
【００１８】
入力部６１への入力により、例えば、タッチ入力のためアイコンを第２表示部２０に表示させても良い。入力部６１への入力により、例えば、第２表示部２０中における、タッチ入力の基準位置（例えばカーソル位置）を、ホームポジションへ移動させても良い。
【００１９】
第１表示部１０及び第２表示部２０には、例えば、液晶層、有機ＥＬ層、または、電気泳動層などを用いた表示装置が用いられる。
【００２０】
第２表示部２０において、表示パネルと、表示パネルに積層された入力パネルと、が設けられても良い。この場合、表示パネルに積層された入力パネルを、入力部６１の一部と見なしてもよい。第２表示部２０に設けられる表示パネルが入力機能を有しても良い。この場合には、入力部６１は、第２表示部２０に含まれる。例えば、入力部６１の少なくとも一部は、第２表示部２０の少なくとも一部と一体的である。入力部６１の少なくとも一部は、第２表示部２０に設けられた入力機能（例えば上記の入力パネル）である。
【００２１】
第１表示部１０も、表示機能と、入力機能と、を有しても良い。この場合、第１表示部１０において、表示パネルと、表示パネルに積層された入力パネル（第１面側入力部１１）と、が設けられても良い。第１表示部１０に設けられる表示パネルが入力機能を有しても良い。この場合、第１面側入力部１１は、第１表示部１０に含まれる。
【００２２】
第１表示部１０及び第２表示部２０に設けられる入力機能においては、例えば、タッチ入力方式により入力が受け取られる。
【００２３】
第１表示部１０の画面のサイズは、第２表示部２０の画面のサイズと同じでも、異なっても良い。この例では、第２表示部２０の画面のサイズは、第１表示部１０の画面のサイズよりも小さい。
【００２４】
撮像部３１には、例えば、ＣＭＯＳ（Complementary Metal Oxide Semiconductor）カメラやＣＣＤ（Charge-Coupled Device）カメラなどが用いられる。
【００２５】
筐体５には、上記の制御部５０の他に、記憶部６２、通信部６３及びバッテリ６４が設けられても良い。例えば、制御部５０には、マイクロプロセッサが用いられる。バッテリ６４は、例えば、乾電池でも蓄電池でも良い。
【００２６】
図３は、実施形態に係るコミュニケーションツールを例示するブロック図である。  
図３に表したように、コミュニケーションツール１１０において、例えば、第１表示部１０、第２表示部２０、撮像部３１、マイクロフォン４１、スピーカ４６、制御部５０、入力部６１、記憶部６２及び通信部６３が設けられる。
【００２７】
制御部５０により、第１表示部１０、第２表示部２０、撮像部３１、マイクロフォン４１及びスピーカ４６の動作が制御される。
【００２８】
記憶部６２には、第１表示部１０及び第２表示部２０で表示させる内容に関する情報を記憶できる。撮像部３１で撮像された像を、記憶部６２に記憶しても良い。このとき、撮像部３１で撮像された像と共に取得された音声を、記憶部６２に記憶しても良い。音声は、例えばマイクロフォン４１で取得される。
【００２９】
通信部６３は、コミュニケーションツール１１０と外部との、無線または有線による通信を行う。通信部６３を介して、表示させる内容に関する情報を入手できる。通信部６３を介して、例えば、撮像部３１で撮像した像に関する情報を送信しても良い。このとき、撮像と共にマイクロフォン４１で取得した音声に関する情報を送信しても良い。通信部６３を介して、例えば、記憶部６２に記憶した情報を送信しても良い。
【００３０】
本実施形態においては、制御部５０は、第１表示部１０に第１コンテンツを表示させ、第２表示部２０に第２コンテンツを表示させる。第２コンテンツは、第１コンテンツに対応する。第２表示部２０に、第１コンテンツと第２コンテンツの両方を表示させても良い。制御部５０は、入力部６１が受けた入力に応じて第１コンテンツを変更する動作が可能である。第２コンテンツは、第１コンテンツと同じでも良い。第２コンテンツの少なくとも一部は、第１コンテンツとは異なっても良い。
【００３１】
以下の例では、入力装置６１ａが設けられ、第２表示部２０が入力機能を有し、入力装置６１ａと、第２表示部２０の入力機能と、が、入力部６１に含まれる場合について説明する。
【００３２】
以下、コミュニケーションツール１１０の使用状態の例について説明する。  
図４（ａ）〜図４（ｃ）は、実施形態に係るコミュニケーションツールの使用状態を例示する模式図である。  
図４（ａ）に表したように、コミュニケーションツール１１０は、第１使用者２１０と、第２使用者２２０と、によって使用される。第１使用者２１０は、例えば、子供であり、第２使用者２２０は、例えば大人である。例えば、第２使用者２２０は、第１使用者２１０の親である。コミュニケーションツール１１０は、第１使用者２１０と第２使用者２２０との間のコミュニケーションを促進する。
【００３３】
例えば、第１使用者２１０と第２使用者２２０との間にコミュニケーションツール１１０が配置される。第１使用者２１０は、例えば、第１表示部１０を観視する。第２使用者２２０は、第２表示部２０を観視する。第２使用者２２０は、入力部６１（例えば、入力装置６１ａ、及び、第２表示部２０の入力機能の少なくともいずれか）を利用して、コミュニケーションツール１１０の操作を行う。
【００３４】
例えば、第２使用者２２０による、第２面２０ａ側からの操作により、第１表示部１０の表示内容が操作される。すなわち、入力部６１（第２表示部２０及び入力装置６１ａの少なくともいずれか）が受けた、第２使用者２２０からの入力に応じて、制御部５０は、第１表示部１０に表示される内容を変更する。第１表示部１０に表示された表示内容を、第１使用者２１０は観視する。
【００３５】
第１表示部１０には、例えば、絵本の内容が表示される。絵本の内容は、第１コンテンツに含まれる。第２表示部２０には、第１表示部１０の内容に対応したテキスト文が表示される。テキスト文は、第２コンテンツに含まれる。すなわち、第２表示部２０は、第１表示部１０に表示する第１コンテンツに関連して設けられた文字情報を表示することができる。このとき、第２表示部２０にも、第１表示部１０に表示されている内容の少なくとも一部が表示されても良い。第１使用者２１０（子供）は、第１表示部１０に表示されている絵本を楽しむ。第２使用者２２０（大人）は、第１使用者２１０にテキスト文を読み聞かせる。
【００３６】
このとき、第１使用者２１０は、第１表示部１０と共に第２使用者２２０の姿を見ることができる。これにより、第１使用者２１０において、第１表示部１０を楽しむと共に、第２使用者２２０とコミュニケーションができる。
【００３７】
一方、第２使用者２２０は、第２表示部２０と共に第１使用者２１０の姿を見ることができる。これにより、第２使用者２２０において、第２表示部２０を見て、コミュニケーションツール１１０を操作すると同時に、第１使用者２１０とコミュニケーションができる。
【００３８】
例えば、１つの絵本を２人（例えば、子供と大人）で見る場合、２人は、横に並ぶことになる。このため、例えば、子供は絵本を見ながら、親の姿を見ることができない。子供は横を向くことで親の姿を見ることができる。このとき、絵本は見えない。大人においても同様である。従って、１つの表示を２人で見る場合には、表示を見るか、他の人の姿を見るか、のいずれかを行うことになる。
【００３９】
これに対して、本実施形態に係るコミュニケーションツール１１０を用いることで、第１使用者２１０（例えば子供）は、第１表示部１０を見ながら、第２使用者２２０（例えば大人））の姿を見ることができる。そして、第２使用者２２０は、第２表示部２０を見ながら、第１使用者２１０の姿を見ることができる。  
実施形態によれば、より効果的なコミュニケーションが促進される。実施形態によれば、対面形の読み聞かせが容易になる。
【００４０】
第２使用者２２０は、第１使用者２１０の状態に応じて、入力部６１により第１表示部１０に表示させる第１コンテンツを変更できる。例えば、第１使用者２１０の状況によって、入力部６１により第１コンテンツのページを前後に変更できる。さらに、第１コンテンツの一部を拡大または縮小して表示しても良い。第１コンテンツ内の一部を画面内で移動させても良い。例えば、絵本に登場する人物を画面内で移動させても良い。
【００４１】
一方、第１面１０ａの側に入力機能が設けられる場合、第１使用者２１０が、第１表示部１０の表示内容を変更できても良い。例えば、第１表示部１０にタッチ式の入力機能（例えば第１面側入力部１１）が設けられ、第１使用者２１０の第１表示部１０の操作により、第１表示部１０の表示内容が変更できても良い。すなわち、制御部５０は、第１表示部１０の第１面側入力部１１が受けた入力に応じて、第１表示部１０に表示する第１コンテンツを変更することができる。例えば、第１表示部１０に絵本を表示する場合、第１表示部１０の第１面側入力部１１からの入力により、第１コンテンツのページを前後に変更できても良い。さらに、第１表示部１０の第１面側入力部１１からの入力により、第１コンテンツの一部を拡大または縮小して表示しても良い。第１コンテンツ内の一部を画面内で移動させても良い。例えば、絵本に登場する人物を画面内で移動させても良い。
【００４２】
第１表示部１０に表示される第１コンテンツの変更に応じて、第２表示部２０に表示される第２コンテンツが変更されても良い。より効果的なコミュニケーションが図れる。
【００４３】
コミュニケーションツール１１０において、第２表示部２０は、撮像部３１で撮像された像の少なくとも一部を表示しても良い。この像には、第１使用者２１０の像が含まれる。例えば、第２使用者２２０は、第２表示部２０に表示されたテキスト文を読んでいる状態においては、第１使用者２１０の姿を十分に見ることができない。このとき、撮像部３１で撮像した第１使用者２１０の像を第２表示部２０に表示することで、第２使用者２２０は、テキスト文と同時に、撮像された第１使用者２１０の姿を見ることができる。これにより、第２使用者２２０は、第１使用者２１０の状態をより詳しく知ることができる。第１使用者２１０の状態を詳しく知ることで、第２使用者２２０は、第１使用者２１０とのコミュニケーションの状態を変えることができ、より効果的なコミュニケーションが図れる。
【００４４】
例えば、撮像部３１の撮影動作の開始及び終了は、第２使用者２２０によって操作されても良い。例えば、第２使用者２２０による、入力装置６１ａ、及び、第２表示部２０の入力機能の少なくともいずれかへの入力によって、撮像部３１の撮影動作の開始及び終了が行われても良い。すなわち、撮像部３１は、例えば、入力部６１が受けた入力に応じて操作される。
【００４５】
撮像部３１は、動画像及び静止画像の少なくともいずれかを撮影する。例えば。第２使用者２２０による操作（すなわち、入力部６１が受ける入力）により、撮像部３１における静止画像の撮影が行われてもよい。撮像された像に関する情報は、例えば、記憶部６２に記憶される。撮像と共にマイクロフォン４１で得た音声に関する情報を、像に関する情報と共に、記憶部６２に記憶しても良い。
【００４６】
制御部５０は、撮像部３１で撮像された、第１表示部１０を観視する対象（この例では第１使用者２１０）の像に基づいて、その対象（第１使用者２１０）の状態を推定しても良い。対象の状態は、例えば、喜怒哀楽などの感情を含む。対象の状態は、例えば、顔のパターンから顔のパーツ（目及び口など）の形状及び配置を認識し、認識されたパーツの形状及び配置から推定される。対象の状態の区分は、例えば、第２使用者２２０により、予め定めされても良い。例えば、第２使用者２２０により、「喜び」の状態が選択され、これにより、「喜び」の状態が予め定められた状態となる。第１使用者２１０（対象者）が、この予め定められた状態（「喜び」の状態）であるかどうかが、制御部５０において判定される。
【００４７】
例えば、第１使用者２１０（対象者）が「喜び」の状態（予め定められた状態）である場合、撮像部３１で撮像された像（静止画像または動画像）が、記憶部６２に記憶される。このとき、音声に関する情報も、像と共に記憶部６２に記憶されても良い。
【００４８】
例えば、第１使用者２１０が「喜び」の状態である場合、撮像部３１で撮像された像が第２表示部２０に表示される。例えば、第１使用者２１０が「喜び」の状態である場合に、第２表示部２０に、「喜び」の状態であることを示す表示を行ってもよい。例えば、第２使用者２２０が第２表示部２０に表示された例えばテキスト文を見ている場合に、第２使用者２２０は、第１使用者２１０が「喜び」の状態であることに気がつかない場合がある。第２使用者２２０において、第１使用者２１０の「喜び」の状態を撮影する機会を逸する場合がある。このとき、撮像部３１により撮像された像により、第１使用者２１０が「喜び」の状態であることが判定され、第２表示部２０の表示により、そのことを知ることができる。そして、撮像部３１により撮影された「喜び」の状態の第１使用者２１０の像を認識し、必要に応じて、記憶部６２に記憶させることができる。
【００４９】
このように、制御部５０は、撮像部３１で撮像された第１使用者２１０（第１表示部を観視する対象）の像に基づいて推定された第１使用者２１０（対象）の状態に応じて、第２表示部２０に表示する第２コンテンツを変更することができる。
【００５０】
制御部５０は、推定された第１使用者２１０（対象）の状態に応じて、第１表示部１０に表示する第１コンテンツを変更しても良い。例えば、第１使用者２１０の推定された状態が、「喜び」の状態である場合に、第１表示部１０の表示を変更することで、第１使用者２１０は、「喜び」の状態をさらに促進できる。例えば、第１表示部１０の表示内容を画面内で移動、回転または振動させても良い。例えば、第１使用者２１０が「喜び」の状態ではない状態の場合、第１使用者２１０が好む画像を第１表示部１０に表示しても良い。
【００５１】
第１使用者２１０の状態は、第１表示部１０に表示された第１コンテンツにより変化する。例えば、第１表示部１０に、第１使用者２１０が好む内容が表示されているときに、第１使用者２１０は「喜び」の状態になる場合がある。例えば、第１使用者２１０が喜ぶような表示内容を記憶しても良い。例えば、第１使用者２１０が「喜び」の状態になったときに第１表示部１０に表示していた内容を抽出しても良い。例えば、記憶部６２は、推定された対象（第１使用者２１０）の状態を、推定された対象（第１使用者２１０）の状態が得られたときに第１表示部１０に表示していた第１コンテンツと関連づけて記憶しても良い。例えば、第２使用者２２０は、記憶部６２に記憶された情報を読み出すことで、第１使用者２１０が「喜び」の状態になるときに第１表示部１０に表示していた第１コンテンツを知ることができる。これにより、第２使用者２２０は、第１使用者２１０の好みを知ることができる。
【００５２】
制御部５０は、第１使用者２１０の状態を予め定められた基準に基づいて評価しても良い。例えば、「喜び」の状態が、予め定められた基準に基づいて複数の段階に分けられる。例えば、撮像部３１で撮像した第１使用者２１０の像から、第１使用者２１０の顔のパーツの形状及び配置を認識し、認識されたパーツの形状及び配置から、第１使用者２１０の撮影時の状態が、複数の段階のいずれに対応するかが決定される。決定された状態を第１表示部１０及び第２表示部２０に表示しても良い。決定された状態に応じて、スピーカ４６から音を生じさせても良い。
【００５３】
撮像部３１の動作は、第１表示部１０の第１面側入力部１１への入力に基づいて実施されても良い。例えば、第１使用者２１０が第１表示部１０（第１面側入力部１１）をタッチした入力信号に基づいて、撮像部３１は、静止画像または動画像の撮影を行ってもよい。これにより、例えば、第１使用者２１０の操作によって、第１使用者２１０の像が撮影できる。
【００５４】
撮像部３１で撮影された像は、通信部６３を介して、コミュニケーションツール１１０の外部に送信されても良い。このとき、像の撮像と共にマイクロフォン４１で得た音声を、共に送信しても良い。例えば、これらの情報が、コミュニケーションツール１１０から離れている他の人に送信されても良い。
【００５５】
図４（ｂ）に表したように、コミュニケーションツール１１０は、第３使用者２３０により使用されても良い。例えば、第３使用者２３０は、コミュニケーションツール１１０から離れた場所にいる。第３使用者２３０は、例えば、撮像部３１で撮影された像を、通信網を介して入手できる。このとき、像の撮像と共にマイクロフォン４１で得た音声を、通信網を介して共に入手しても良い。第３使用者２３０は、例えば、撮像部３１で撮影された像に基づいて、第１使用者２１０の状態を知ることができる。第３使用者２３０は、第２表示部２０に表示された第２コンテンツの少なくとも一部を、通信網を介して入手し、第２コンテンツの少なくとも一部を見ることができる。第３使用者２３０の音声は、例えば、通信部６３を介してコミュニケーションツール１１０に送信される。第３使用者２３０の音声は、例えば、スピーカ４６から出力される。
【００５６】
例えば、第１使用者２１０は、第１表示部１０に表示された絵本を見る。第３使用者２３０は、離れた場所で、第２コンテンツを見ながら第１表示部１０に対応するテキスト文を読み、第１使用者２１０に聞かせることができる。
【００５７】
第３使用者２３０は、入手した像及び音声に基づいて、第１使用者２１０の状態を把握し、状態に応じて、撮像部３１の動作を制御しても良い。例えば、第３使用者２３０は、任意の時に撮像部３１を操作して、任意の状態の第１使用者２１０の像（例えば制静止画像または動画像）を撮影できる。
【００５８】
第３使用者２３０は、第１使用者２１０の状態を把握することで、第１使用者２１０の好みを知ることができる。例えば、第１表示部１０に車の絵（第１コンテンツ）が表示あれたときに、第１使用者２１０が「喜び」の状態であることが、第３使用者２３０が知ることができる。これにより、第３使用者２３０は、第１使用者２１０が車を好むことが認識できる。
【００５９】
第３使用者２３０は、コミュニケーションツール１１０を介して入手した、第１使用者２１０の像の情報の記憶、画面への出力、印刷（プリンタへの出力）及び加工の少なくともいずれかを実施しても良い。
【００６０】
第１表示部１０には、第３使用者２３０から提供された情報を表示しても良い。例えば、通信部６３を経由して、第３使用者２３０から任意の情報が入手される。
【００６１】
図４（ｃ）に表したように、第１使用者２１０と、第２使用者２２０と、の両方が、第１表示部１０を見ても良い。このような場合、第１表示部１０の入力機能（例えば第１面側入力部１１）により、第１表示部１０の操作が可能でも良い。例えばコミュニケーションツール１１０において、第２表示部２０による操作を主とする動作モードと、第１表示部１０による操作を主とする動作モードと、の切り替えが可能でも良い。
【００６２】
第１表示部１０に表示する第１コンテンツとして、例えば、絵本、放送された画像、使用者により撮影された画像（動画像及び静止画像を含む）、使用者により作成された画像ゲーム画面、及び、絵日記の少なくともいずれかが用いられる。第１コンテンツに設けられる「登場物」（例えば漫画のキャラクタ）は、第１使用者２１０の像の少なくとも一部を合成した像を含んでも良い。例えば、漫画の登場物の顔の部分を第１使用者２１０の顔の像に変更した像が用いられても良い。
【００６３】
第１表示部１０を観視する対象は、例えば、動物でも良い。第１表示部１０を観視する対象は、例えば、ロボットでも良い。
【００６４】
実施形態においては、例えば、第１表示部１０の表示と、第２表示部２０の表示と、は互いに連動している。互いに同期した表示を行うことで、コミュニケーションがより促進される。
【００６５】
実施形態は、表示方法を含む。本表示方法では、第１面１０ａに設けられた第１表示部１０と、第１面１０ａに設けられた撮像部３１と、第１面１０ａとは反対側の第２面２０ａに設けられた第２表示部２０と、を含むコミュニケーションツールの、撮像部３１を操作して撮像部３１で像を撮像し、撮像部３１で撮像した像の少なくとも一部を第２表示部２０に表示させる。撮像部３１の操作は、例えば第２面２０ａの側から行われる。第２表示部２０は入力機能を有しており、撮像部３１の操作は、例えば、第２表示部２０に設けられた表示機能を用いて実施される。例えば、第１表示部１０に表示されたコンテンツに関連して設けられた文字情報を、第２表示部２０に表示させる。例えば、第１表示部１０に表示させるコンテンツと、第２表示部２０に表示させるコンテンツと、を連動させる。
【００６６】
実施形態によれば、より効果的なコミュニケーションを促進するコミュニケーションツール及び表示方法が提供できる。
【００６７】
以上、具体例を参照しつつ、本発明の実施の形態について説明した。しかし、本発明は、これらの具体例に限定されるものではない。例えば、コミュニケーションツールに含まれる第１表示部、第２表示部、撮像部、マイクロフォン、スピーカ、制御部、入力装置、入力部、記憶部及び通信部などの各要素の具体的な構成に関しては、当業者が公知の範囲から適宜選択することにより本発明を同様に実施し、同様の効果を得ることができる限り、本発明の範囲に包含される。
【００６８】
また、各具体例のいずれか２つ以上の要素を技術的に可能な範囲で組み合わせたものも、本発明の要旨を包含する限り本発明の範囲に含まれる。
【００６９】
その他、本発明の実施の形態として上述したコミュニケーションツール及び表示方法を基にして、当業者が適宜設計変更して実施し得る全てのコミュニケーションツール及び表示方法も、本発明の要旨を包含する限り、本発明の範囲に属する。
【００７０】
その他、本発明の思想の範疇において、当業者であれば、各種の変更例及び修正例に想到し得るものであり、それら変更例及び修正例についても本発明の範囲に属するものと了解される。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
５…筐体、  １０…第１表示部、  １０ａ…第１面、  １１…第１面側入力部、  ２０…第２表示部、  ２０ａ…第２面、  ３１…撮像部、  ４１…マイクロフォン、  ４６…スピーカ、  ５０…制御部、  ６１…入力部、  ６１ａ…入力装置、  ６２…記憶部、  ６３…通信部、  ６４…バッテリ、  １１０…コミュニケーションツール、  ２１０…第１使用者、  ２２０…第２使用者、  ２３０…第３使用者
【図１】
2014187552.tif 000003
【図２】
2014187552.tif 000004
【図３】
2014187552.tif 000005
【図４】
2014187552.tif 000006